(57)【要約】  無線電気通信ネットワーク基地局方法、対応する無線電気通信ネットワーク・ユーザ機器方法、コンピュータ・プログラム製品、およびそれらの方法を実行するように動作可能なネットワーク・ノード。基地局方法は、システム情報ブロックの場所に関連するリソース割当て情報をマスタ情報ブロックにおいて符号化するステップを含む。ユーザ機器方法は、システム情報ブロックの場所に関連するリソース割当て情報をマスタ情報ブロックにおいて復号するステップを含む。説明する態様および実施形態は、カバレッジ拡大を必要とするＭＴＣ  ＵＥのＳＩＢのための適切なリソース割当てを指示するのに使用することができる効率的な方法を提供することができる。
2016529820.tif 000002
【特許請求の範囲】
【請求項１】
マスタ情報ブロックにおいて、システム情報ブロックの場所に関連するリソース割当て情報を符号化するステップと、
前記マスタ情報ブロックを搬送する基地局とユーザ機器との間の第１のダウンリンク・チャネル上で、伝送が前記基地局とユーザ機器との間の少なくとも１つの他のチャネルによって反復される回数を識別する反復指標を符号化するステップと
を含む無線電気通信ネットワーク基地局方法。
【請求項２】
リソース割当て情報を符号化するステップが、前記マスタ情報ブロックに含めるための場所指標を符号化するステップを含み、前記場所指標が、前記システム情報ブロックを含む少なくとも１つの物理リソース・ブロックの場所を識別する、請求項１に記載の方法。
【請求項３】
前記場所指標が複数の値のうちの１つを含み、各値が、前記システム情報ブロックを含む少なくとも１つの物理リソース・ブロックの異なる場所を識別する、請求項２に記載の方法。
【請求項４】
前記反復指標が複数の値のうちの１つを含み、各値は、伝送が前記少なくとも１つの他のチャネルによって反復される異なる回数を識別する、請求項１乃至３のいずれか１項に記載の方法。
【請求項５】
前記場所指標および前記反復指標の少なくとも一方を選択して、異なるユーザ機器にサービスするステップ
を含む、請求項２または３に従属する場合の請求項２、３、または４のいずれか１項に記載の方法。
【請求項６】
ダウンリンク伝送チャネルの無線フレーム内で、少なくとも１回、前記符号化しているリソース割当て情報を含む前記マスタ情報ブロックを反復するステップを含む、請求項１乃至５のいずれか１項に記載の方法。
【請求項７】
各無線フレームが、複数のサブフレームを含み、前記マスタ情報ブロックが、対応する複数のサブフレームで反復される、請求項６に記載の方法。
【請求項８】
ダウンリンク伝送チャネルの無線フレーム内で、少なくとも１回、前記システム情報ブロックを反復するステップを含む、請求項１乃至７のいずれか１項に記載の方法。
【請求項９】
システム情報ブロックの場所に関連するリソース割当て情報をマスタ情報ブロックにおいて符号化し、
前記マスタ情報ブロックを搬送する基地局とユーザ機器との間の第１のダウンリンク・チャネル上で、伝送が前記基地局とユーザ機器との間の少なくとも１つの他のチャネルによって反復される回数を識別する反復指標を符号化する
ように動作可能な符号化論理部
を備える無線電気通信ネットワーク基地局。
【請求項１０】
システム情報ブロックの場所に関連するリソース割当て情報をマスタ情報ブロックから復号するステップと、
前記マスタ情報ブロックを搬送する基地局とユーザ機器との間の第１のダウンリンク・チャネル上で、伝送が前記基地局とユーザ機器との間の少なくとも１つの他のチャネルによって反復される回数を識別する反復指標を復号するステップと
を含む無線電気通信ネットワーク・ユーザ機器方法。
【請求項１１】
システム情報ブロックの場所に関連するリソース割当て情報をシステム帯域幅の指示から復号するステップ
を含む、請求項１０に記載の方法。
【請求項１２】
システム情報ブロックの場所に関連するリソース割当て情報をＣｅｌｌ  ＩＤの指示から復号するステップを含む、請求項１０または１１に記載の方法。
【請求項１３】
コンピュータで実行されたとき、請求項１乃至８または１２のいずれか１項に記載の方法を実行するように動作可能なコンピュータ・プログラム製品。
【請求項１４】
システム情報ブロックの場所に関連するリソース割当て情報をマスタ情報ブロックから復号し、
前記マスタ情報ブロックを搬送する基地局とユーザ機器との間の第１のダウンリンク・チャネル上で、伝送が前記基地局とユーザ機器との間の少なくとも１つの他のチャネルによって反復される回数を識別する反復指標を復号する
ように動作可能な復号化論理部
を備える無線電気通信ネットワーク・ユーザ機器。
【請求項１５】
前記復号化論理部が、システム情報ブロックの割当てに関連するリソース割当て情報をＣｅｌｌ  ＩＤの指示から復号するようにさらに動作可能である、請求項１４に記載の無線電気通信ネットワーク・ユーザ機器。
【発明の詳細な説明】
【技術分野】
【０００１】
本発明は、無線電気通信方法、コンピュータ・プログラム製品、およびネットワーク・ノードに関する。
【背景技術】
【０００２】
無線電気通信システムが知られている。セルラ・システムでは、無線カバレッジが、セルとして知られている区域のユーザ機器、例えば、モバイル・フォンのために用意される。無線カバレッジを用意するために、基地局がセルごとに配置される。各セルのユーザ機器は、情報およびデータを基地局から受信し、情報およびデータを基地局に伝送するように動作可能とすることができる。
【０００３】
基地局によってユーザ機器に伝送される情報およびデータは、ダウンリンク・チャネルとして知られている無線搬送波のチャネル上に存在する。ユーザ機器によって基地局に伝送される情報およびデータは、アップリンク・チャネルとして知られている無線搬送波のチャネル上に存在する。基地局の配置は、ネットワーク・オペレータによって大部分は制御されるかまたは制御可能であるが、ユーザ機器の配置はそうではない。ネットワーク内のユーザ機器の配置は、予期しない結果を引き起こすことがある。
【発明の概要】
【発明が解決しようとする課題】
【０００４】
それ故に、ネットワーク内のユーザ機器と通信するための技法を提供することが望まれる。
【課題を解決するための手段】
【０００５】
第１の態様は、システム情報ブロックの場所に関連するリソース割当て情報をマスタ情報ブロックにおいて符号化するステップを含む無線電気通信ネットワーク基地局方法を提供する。
【０００６】
ネットワーク内にユーザ機器を配置する際に生じることがある１つの問題は、ユーザ機器が非常に高い減衰を受ける区域に配置されることになる場合があることを第１の態様は認識している。そのような高い減衰のため、ユーザ機器は、適切なダウンリンク・トラヒックにアクセスできるために必須であることがあるダウンリンク情報を復号できないことがある。ユーザ機器は、高い減衰のそのような区域に配置された場合、基地局からのトラヒックを効果的に受信することができないことがある。
【０００７】
第１の態様は、高減衰配置のユーザ機器に情報を供給するための技法が存在することを認識している。ひとたび設置されると動かない傾向がある新興種類のユーザ機器（スマート・メータで使用されることがあるマシン・タイプ・コミュニケーション・デバイスなど）が存在し、それにより、モバイル・ユーザ機器は、高減衰区域に配置されるとそれが不都合であると簡単に分かり、けれども、ユーザ機器が低減衰に移動したときカバレッジを回復しているが、そのような静止したユーザ機器は、高減衰の領域に恒久的に配置されることがあり、通常のネットワーク・カバレッジをほとんどまたは全く経験しないことがあることを第１の態様はさらに認識している。
【０００８】
ある種の通信を保証するための技法が、高減衰区域に配置されたユーザ機器に対して行われ、典型的には、例えば、基地局で異なる通信技法、例えば、高減衰区域に配置されたユーザ機器はそのメッセージを受信し再コンパイルする機会を有することができるように単一のメッセージの伝送の多数の反復を実施することを含む。すなわち、メッセージの伝送を反復することによって、ユーザ機器は、メッセージを復号できる確度を向上させるために連続する反復を組み合わせるように動作可能とすることができる。そのような反復を使用して、高減衰の区域に与えられるカバレッジを向上させることができる。
【０００９】
マシン・タイプ・コミュニケーション（ＭＴＣ）デバイスは、特有の動作のための機械によって使用されるユーザ機器である。そのようなＭＴＣデバイスの１つの例は、スマート需要メータである。説明したように、いくつかのそのようなデバイスは、特に高い減衰の区域、例えば、高い侵入損失を受ける地下室に配置されることがある。そのため、それらのＭＴＣデバイスはネットワークと通信することが困難であることがある。カバレッジ強化技法は、そのようなＭＴＣユーザ機器に与えられるカバレッジをほぼ１５ｄＢだけ拡大することを目的とする。そのようなカバレッジ強化型ユーザ機器は、ＣＥ−ＭＴＣ  ＵＥ（カバレッジ強化型ＭＴＣ  ＵＥ）と呼ばれる。そのようなユーザ機器までカバレッジを拡大するために、ネットワークは、基地局（例えば、ｅＮｏｄｅ  Ｂ）の全伝送電力またはユーザ機器の全伝送電力を拡大することなしに動作可能でなければならない。反復は、主要な方法であると確認されている。すなわち、反復は、特に高い減衰の区域のユーザ機器までカバレッジを拡大する手段を代表する。必要とされる反復の数は、重要であり、数百となることがある。そのようなレベルの反復は、ネットワークのスペクトル効率に著しく影響する。ネットワークは、カバレッジ拡大モードで動作する場合、ＳＩＢ（システム情報ブロック）の反復および追加のＲＡＣＨリソースの確保を行わなければならないことが理解されるであろう。
【００１０】
システム情報ブロック（ＳＩＢ）は、ネットワークにアクセスするのにユーザ機器が必要とする必須情報を含む。ＬＴＥの既存のシステムにおいて、ＳＩＢの物理ダウンリンク共有チャネル（ＰＤＳＣＨ）リソース割当ては、物理ダウンリンク制御チャネル（ＰＤＣＣＨ）によって指示される。ＭＴＣ−ＵＥカバレッジを１５ｄＢだけ拡大するには、ＳＩＢを指示し搬送するＰＤＣＣＨおよびＰＤＳＣＨは、一般に、数百の程度の反復というかなり大きい反復を必要とする。
【００１１】
ネットワークのすべてのセルまたはユーザが限度一杯の１５ｄＢカバレッジ拡大を必要とするとは限らないことと、メッセージを送るためにかなりの量の反復を必要とするので、カバレッジ拡大目標のそのような均一の実施を設定することにより、ネットワークスペクトル効率のかなり大きい劣化がもたらされることがあることとを正しく理解されるであろう。態様および実施形態は、カバレッジ拡大を必要とするＭＴＣ  ＵＥのＳＩＢのための適切なリソース割当てを指示するために使用することができる効率的な方法を提供することを目的とする。
【００１２】
第１の態様は、ＳＩＢのリソース割当てを指示するためにユーザ機器にＭＩＢで情報を信号により伝える方法を提供する。ＭＩＢでユーザに信号により伝えられる情報は、ＳＩＢを含む物理リソース・ブロック（ＰＲＢ）を決定するために使用することができる。
【００１３】
１つの実施形態では、リソース割当て情報を符号化するステップは、マスタ情報ブロックに含めるための場所指標を符号化するステップを含み、場所指標は、システム情報ブロックを含む少なくとも１つの物理リソース・ブロックの場所を識別する。１つの実施形態では、場所指標は複数の値のうちの１つを含み、各値は、システム情報ブロックを含む少なくとも１つの物理リソース・ブロックの異なる場所を識別する。それ故に、ＭＩＢでユーザ機器に信号により伝えられる情報は、「リソース割当て」指標を含むことができる。各リソース割当て指標は、ＳＩＢを含むＰＲＢ割当てを指し示すようなものとすることができる。あり得るＰＲＢ割当ては、例えば仕様に事前定義されており、それにより、ユーザ機器に知らされている。それ故に、完全なＰＲＢ場所ではなく指標しかＭＩＢに含める必要がない。
【００１４】
１つの実施形態では、方法は、マスタ情報ブロックを搬送する基地局とユーザ機器との間の第１のダウンリンク・チャネル上で、伝送が基地局とユーザ機器との間の少なくとも１つの他のチャネルによって反復される回数を識別する反復指標を符号化するステップを含む。１つの実施形態では、反復指標は複数の値のうちの１つを含み、各値は、伝送が少なくとも１つの他のチャネルによって反復される異なる回数を識別する。１つの実施形態では、反復指標は、ＭＩＢの一部を形成する。１つの実施形態では、反復指標は、ＭＩＢと同じチャネルで搬送される。それ故に、リソース割当て指標は、ＭＩＢで伝送されるように提案される反復指標とともに共同で符号化することができる。反復指標は、共通制御チャネルおよび初期アクセスのためのＰＤＳＣＨおよびＰＵＣＣＨに関連して実施される反復レベルを表す。リソース割当て指標および反復指標を一緒に使用して、ＳＩＢを含む物理リソース・ブロック（ＰＲＢ）と、それらのＰＲＢが反復されることになる（連続する）サブフレームの数とを決定することができる。これらの２つの指標の共同符号化により、各指標に関連して別個の符号化を使用することと比較して、組み合わされた情報では、少ないビット数を使用することができるようになる。例えば、３つの代替の反復レベルおよび５つの代替のリソース割当ては、４ビットで共同で符号化することができるが、一方、別個の符号化では、２＋３＝５ビットが必要とされることになる。
【００１５】
１つの実施形態では、方法は、場所指標および反復指標の少なくとも一方を選択して、異なるユーザ機器にサービスするステップを含む。代替として、場所指標および反復指標は、セル単位で設定することができ、そのセルのすべてのユーザは、全く同様に動作する。あるセルは、そのセル内のユーザの場所のために、スペクトル的により効率的な実施を選べる立場にいることができ、他のセルは、ユーザ機器をサポートするためにより多くの反復を必要とすることがある。
【００１６】
１つの実施形態では、方法は、ダウンリンク伝送チャネルの無線フレーム内で、少なくとも１回、符号化されたリソース割当て情報を含むマスタ情報ブロックを反復するステップをさらに含む。１つの実施形態では、各無線フレームは、複数のサブフレームを含み、マスタ情報ブロックは、対応する複数のサブフレームで反復される。
【００１７】
１つの実施形態では、方法は、ダウンリンク伝送チャネルの無線フレーム内で、少なくとも１回、システム情報ブロックを反復するステップを含む。１つの実施形態では、各無線フレームは、複数のサブフレームを含み、システム情報ブロックは、対応する複数のサブフレームで反復される。
【００１８】
固定高減衰配置のユーザへのサポートを実施し、ＰＢＣＨのカバレッジ拡大を行う１つの方法は、ＰＢＣＨが、高いＰＢＣＨ反復の短い強烈バースト（ｉｎｔｅｎｓｅ  ｂｕｒｓｔ）と、それに続く長い期間のレガシーＰＢＣＨ伝送とからなる２モードで伝送できるようにすることであることが提案されている。そのような伝送モードは、ＰＢＣＨ反復に必要とされるリソースを減少させることができ、ＭＩＢがＭＴＣ  ＵＥに関して何度も読まれる可能性がないことを考慮に入れている。ＳＩＢは同様に何度も読まれると予測されないので、同様の伝送領域をＳＩＢに関連して実装することができる。言い換えれば、ＳＩＢは、同様に、ＭＩＢに関して実施され得るもののように、強烈バースト期間中に反復することができる。いくつかの実施形態では、ＳＩＢ強烈バースト期間は、ＭＩＢバースト期間からオフセットさせることができ、ＳＩＢ強烈バーストは、ＰＢＣＨ（ＭＩＢを搬送する）の開始の後に開始することができる。
【００１９】
第２の態様は、コンピュータで実行されるとき、第１の態様による方法を実行するように動作可能なコンピュータ・プログラム製品を提供する。
【００２０】
第３の態様は、システム情報ブロックの場所に関連するリソース割当て情報をマスタ情報ブロックにおいて符号化するように動作可能な符号化論理部を備える無線電気通信ネットワーク基地局を提供する。
【００２１】
１つの実施形態では、リソース割当て情報を符号化するステップは、マスタ情報ブロックに含めるための場所指標を符号化するステップを含み、場所指標は、システム情報ブロックを含む少なくとも１つの物理リソース・ブロックの場所を識別する。
【００２２】
１つの実施形態では、場所指標は複数の値のうちの１つを含み、各値は、システム情報ブロックを含む少なくとも１つの物理リソース・ブロックの異なる場所を識別する。
【００２３】
１つの実施形態では、符号化論理部は、マスタ情報ブロックを搬送する基地局とユーザ機器との間の第１のダウンリンク・チャネル上で、伝送が基地局とユーザ機器との間の少なくとも１つの他のチャネルによって反復される回数を識別する反復指標を符号化するように動作可能である。
【００２４】
１つの実施形態では、反復指標は複数の値のうちの１つを含み、各値は、伝送が少なくとも１つの他のチャネルによって反復される異なる回数を識別する。
【００２５】
１つの実施形態では、基地局は、場所指標および反復指標の少なくとも一方を選択して、異なるユーザ機器にサービスするように動作可能な選択論理部を含む。
【００２６】
１つの実施形態では、基地局は、ダウンリンク伝送チャネルの無線フレーム内で、少なくとも１回、符号化されたリソース割当て情報を含むマスタ情報ブロックを反復するように動作可能な反復論理部を含む。
【００２７】
１つの実施形態では、各無線フレームは、複数のサブフレームを含み、マスタ情報ブロックは、対応する複数のサブフレームで反復される。
【００２８】
第４の態様は、システム情報ブロックの場所に関連するリソース割当て情報をマスタ情報ブロックから復号するステップを含む無線電気通信ネットワーク・ユーザ機器方法を提供する。
【００２９】
１つの実施形態では、方法は、システム情報ブロックの場所に関連するリソース割当て情報をシステム帯域幅の指示から復号するステップを含む。いくつかの実施形態では、システム帯域幅を使用して、ＳＩＢを含むＰＲＢ割当てを決定するのに使用できる追加情報を暗黙に提供することができる。帯域幅にわたって拡散されたメッセージは周波数ダイバーシティから利益を得ることができ、そのため、利用可能なシステム帯域幅内でＳＩＢメッセージをできる限り拡散することが有益となり得ることをそのような実施形態は認識している。それ故に、リソース割当ては、システム帯域幅の知見から少なくとも部分的に決定することができる。
【００３０】
１つの実施形態では、方法は、システム情報ブロックの場所に関連するリソース割当て情報をＣｅｌｌ  ＩＤの指示から復号するステップを含む。いくつかの実施形態では、Ｃｅｌｌ  ＩＤは、ＳＩＢのためのＰＲＢ割当てを決定するのに必要とされる追加情報として使用される。Ｃｅｌｌ  ＩＤは、例えば、ＰＲＢリソースの開始からオフセットされたＰＲＢの量の指示として使用することができる。そのような実施形態は、ＳＩＢのための同じＰＲＢを隣のセルが使用しないようにするのに有益となり得る。隣接するセルにおいてＳＩＢのために同じＰＲＢを使用すると、干渉が引き起こされることがあり、そのような実施形態は、そのような干渉を避けることを目指すのに有用となり得る。
【００３１】
第５の態様は、コンピュータで実行されるとき、第４の態様の方法を実行するように動作可能なコンピュータ・プログラム製品を提供する。
【００３２】
第６の態様は、システム情報ブロックの場所に関連するリソース割当て情報をマスタ情報ブロックから復号するように動作可能な復号化論理部を備える無線電気通信ネットワーク・ユーザ機器を提供する。
【００３３】
１つの実施形態では、復号化論理部は、システム情報ブロックの場所に関連するリソース割当て情報をシステム帯域幅の指示から復号するように動作可能である。
【００３４】
１つの実施形態では、復号化論理部は、システム情報ブロックの場所に関連するリソース割当て情報をＣｅｌｌ  ＩＤの指示から復号するように動作可能である。
【００３５】
さらなる特定の好ましい態様は、添付の独立請求項および従属請求項に記載される。従属請求項の特徴は、適宜に、および請求項に明確に記載されているもの以外の組合せで、独立請求項の特徴と組み合わせることができる。
【００３６】
装置の特徴が、機能を提供するように動作可能であると説明されている場合、これは、その機能を提供するか、またはその機能を提供するように適応または構成される装置の特徴を含むことを正しく理解されるであろう。
【００３７】
次に、添付図面を参照して、本発明の実施形態をさらに説明する。
【図面の簡単な説明】
【００３８】
【図１】カバレッジ強化の能力があるネットワーク配置を概略的に示す図である。
【図２】１つの実施形態による、カバレッジ強化の状態で動作するｅＮｏｄｅ  Ｂによる物理ブロードキャスト・チャネル（ＰＢＣＨ）の伝送を概略的に示す図である。
【図３】１つの実施形態による、システム情報ブロック（ＳＩＢ）物理リソース・ブロック（ＰＲＢ）割当てを概略的に示す図である。
【図４】１つの実施形態による、カバレッジ強化でのＰＢＣＨおよびＳＩＢの伝送を概略的に示す図である。
【発明を実施するための形態】
【００３９】
上記のように、いくつかのタイプのユーザ機器を配置することに伴う１つの問題は、高い損失、例えば、建物内のユーザ機器の位置に起因する高い侵入損失を受ける区域にユーザ機器が配置されることである。そのため、それらのユーザ機器はネットワークと通信することが困難である。そのようなユーザ機器の１つの例は、機械で一般に使用されるマシン・タイプ・コミュニケーション・デバイス、例えばスマート需要メータなどである。いくつかのそのようなスマート需要メータは、無線信号の高い減衰を受ける地下室または他の区域に配置されることがある。それらのユーザ機器は、実質的に固定状態にあり、減衰がより少ない領域に移動する可能性がないことが理解されるであろう。それらのスマート需要メータのうちのあるものは、それらのデバイスのカバレッジを１５ｄＢだけ拡大することが望ましいような方法で動作している。いくつかのネットワークの動作によれば、基地局は、低いネットワーク・トラヒックの期間に特別な動作モードを実行するように動作可能にすることができる。カバレッジ強化として知られているその特別な動作モードは、非常に高い減衰の領域のユーザに送信されるメッセージが何回も反復されるようなものである。特に、いくつかのメッセージは、ダウンリンク伝送チャネルの無線フレーム内で何回も反復されることがある。メッセージングを反復することにより、連続する反復からのエネルギーおよび情報は、そのようなメッセージに含まれている情報をユーザ機器が復号できる確度を改善するように組み合わせることができる。しかしながら、非常に高い侵入損失区域でカバレッジを達成するために、無線フレーム内の反復の範囲は、事実上、特に狭帯域幅搬送波では、例えばマスタ情報ブロックの伝送のために４０ミリ秒にわたる無線フレームのリソース全体を使用するように要求されることをもたらすことがある。
【００４０】
図１は、通常のカバレッジモードと、いわゆる「カバレッジ強化」モードとを動作させることができる基地局、この場合、ｅＮｏｄｅ  Ｂを概略的に示す。ｅＮｏｄｅ  Ｂのカバレッジ領域内に存在するいくつかのマシン・タイプ・コミュニケーション・ユーザ機器が示されている。それらのマシン・タイプ・コミュニケーション・ユーザ機器のうちの２つ、すなわち、ＭＴＣ  ＵＥ１およびＭＴＣ  ＵＥ２は、ｅＮｏｄｅ  Ｂによって設けられた通常のセルカバレッジの領域内で動作していることが見て分かる。２つのさらなるユーザ機器、すなわち、ＣＥ−ＭＴＣ１およびＣＥ−ＭＴＣ２は、ｅＮｏｄｅ  Ｂがカバレッジ強化モードで動作するときにのみｅＮｏｄｅ  Ｂと通信することができる。すなわち、それらのユーザ機器が置かれている場所の無線状態は、通信の反復モードがｅＮｏｄｅ  Ｂで実施されているときにのみそれらのユーザ機器がｅＮｏｄｅ  Ｂからのメッセージングを首尾よく受信することができるような状態である。ＭＴＣ  ＵＥ１およびＭＴＣ  ＵＥ２は、常時、ｅＮｏｄｅ  Ｂによってサービスされ得るが、一方、ＣＥ−ＭＴＣ１およびＣＥ−ＭＴＣ２は、ｅＮｏｄｅ  Ｂがカバレッジ強化モードで動作しているときにのみ動作することができることを理解されるであろう。
【００４１】
態様および実施形態は、ｅＮｏｄｅ  Ｂまたは他のネットワーク・アクセス・ノードが２つのモードで動作できることを認識している。第１に、ｅＮｏｄｅ  Ｂは通常モードで動作することができる。そのモードは、本質的にレガシーｅＮｏｄｅ  Ｂ動作であり、その結果、ＭＴＣデバイスのためのカバレッジ強化機能がないことを理解されるであろう。このモードでは、ｅＮｏｄｅ  Ｂは、通常の無線カバレッジ内にある通常のユーザ機器しかサポートすることができない。第２に、ｅＮｏｄｅ  Ｂは、カバレッジ強化モード（ＣＥモード）で動作することができる。そのようなモードによれば、カバレッジ強化型ＭＴＣユーザ機器で必要とされる物理チャネルのカバレッジは強化され得る。大量の反復が、それらの物理チャネルで実行される。そのようなモードでは、ｅＮｏｄｅ  Ｂは、通常ユーザ機器およびカバレッジ強化型ＭＴＣユーザ機器の両方をサポートすることができる。
【００４２】
システム情報ブロック（ＳＩＢ）は、ネットワークにアクセスするのにユーザ機器が必要とする必須情報を含む。ＬＴＥの既存のシステムにおいて、ＳＩＢの物理ダウンリンク共有チャネル（ＰＤＳＣＨ）リソース割当ては、物理ダウンリンク制御チャネル（ＰＤＣＣＨ）によって指示される。ＭＴＣ−ＵＥカバレッジを１５ｄＢだけ拡大するには、ＳＩＢを指示し搬送するＰＤＣＣＨおよびＰＤＳＣＨは、一般に、数百の程度の反復というかなり大きい反復を必要とする。
【００４３】
ネットワークのすべてのセルまたはユーザが限度一杯の１５ｄＢカバレッジ拡大を必要とするとは限らないことと、メッセージを送信するのにかなりの量の反復を必要とするので、カバレッジ拡大目標のそのような均一の実施を設定することにより、ネットワークスペクトル効率のかなり大きい劣化がもたらされることになることとを正しく理解されるであろう。態様および実施形態は、カバレッジ拡大を必要とするＭＴＣ  ＵＥのＳＩＢのための適切なリソース割当てを指示する効率的な方法を提供することを目的とする。
【００４４】
当然、マスタ情報ブロック（ＭＩＢ）にＳＩＢを含むことができる。そのような構成は、ユーザがＭＩＢおよび別個のＳＩＢの両方を復号する必要を避けることができる。しかしながら、そのような解決策に伴う問題が存在し、その問題には下記が含まれる。ＭＩＢ情報ビットの増加、それはＰＢＣＨ頑健性を低下させ、その結果として、ＰＢＣＨカバレッジをさらに強化させること（より多くの反復）を必要とすることがある；ＳＩＢを割り付けるときの柔軟性の減少、その理由は、ＭＩＢが配置されている中央の６ＰＲＢにＳＩＢが閉じ込められることになり、それが、利用可能な周波数ダイバーシティを減少させるからである；および、一般に、ＳＩＢはＭＩＢよりも長い期間を有する。
【００４５】
ＰＤＣＣＨのリソース割当て指示をバイパスすることができ、かつＳＩＢを含むＰＤＳＣＨを直接復号するようにＭＴＣ−ＵＥを構成することができるように準備することも可能である。柔軟性のために、ＳＩＢは、いくつかの候補ＰＤＳＣＨ割当てを占めることができ、ＵＥは、ＳＩＢを検出し読むためにこれらの候補をブラインド復号することになる。この解決策に伴う問題は次の通りである。（ｉ）ＵＥは、ＰＤＣＣＨの情報ビットと比較してより多くの情報ビットを有するＰＤＳＣＨのための新しいブラインド復号方法を必要とすることになる。これは、ＵＥ複雑さを増加させ、それは、低コストＭＴＣ  ＵＥを提供しようとする目的を挫折させることになる。（ｉｉ）候補は事前定義され、そのため、異なるレベルのカバレッジ拡大を達成することが困難になる可能性がある。
【００４６】
概観
いくつかの実施例についてより詳細に論じる前に、概観が提供される。本明細書で説明する態様および実施形態は、ＳＩＢのリソース割当てを指示するためにユーザ機器にＭＩＢで情報を信号により伝える方法を提供する。ＭＩＢでユーザに信号により伝えられる情報は、ＳＩＢを含む物理リソース・ブロック（ＰＲＢ）を決定するために使用することができる。
【００４７】
１つの実施形態では、ＭＩＢでユーザ機器に信号により伝えられる情報は、「リソース割当て」指標を含むことができる。各リソース割当て指標は、ＳＩＢを含むＰＲＢ割当てを指し示すようなものとすることができる。あり得るＰＲＢ割当ては、例えば仕様に事前定義されており、それにより、ユーザ機器に知らされている。それ故に、完全なＰＲＢ場所ではなく指標しかＭＩＢに含める必要がない。
【００４８】
いくつかの実施形態では、リソース割当て指標は、ＭＩＢで伝送されるように提案される反復指標とともに共同で符号化することができる。反復指標は、共通制御チャネルおよび初期アクセスのためのＰＤＳＣＨおよびＰＵＣＣＨに関連して実施される反復レベルを表す。リソース割当て指標および反復指標を一緒に使用して、ＳＩＢを含む物理リソース・ブロック（ＰＲＢ）と、それらのＰＲＢが反復されることになる（連続する）サブフレームの数とを決定することができる。これらの２つの指標の共同符号化により、各指標に関連して別個の符号化を使用することと比較して、組み合わされた情報では、少ないビット数を使用することができるようになる。例えば、３つの代替の反復レベルおよび５つの代替のリソース割当ては、４ビットで共同で符号化することができるが、一方、別個の符号化では、２＋３＝５ビットが必要とされることになる。
【００４９】
いくつかの実施形態では、システム帯域幅を使用して、ＳＩＢを含むＰＲＢ割当てを決定するのに使用できる追加情報を暗黙に提供することができる。そのような実施形態では、帯域幅にわたって拡散されたメッセージは周波数ダイバーシティから利益を得ることができ、そのため、利用可能なシステム帯域幅内でＳＩＢメッセージをできる限り拡散することが有益となり得ることが認識されている。それ故に、リソース割当ては、システム帯域幅の知見から少なくとも部分的に決定することができる。
【００５０】
いくつかの実施形態では、Ｃｅｌｌ  ＩＤが、ＳＩＢのためのＰＲＢ割当てを決定するのに必要とされる追加情報として使用される。Ｃｅｌｌ  ＩＤは、例えば、ＰＲＢリソースの開始からオフセットされるＰＲＢの量の指示として使用することができる。そのような実施形態は、ＳＩＢのための同じＰＲＢを隣のセルが使用しないようにするのに有用となり得る。隣接するセルにおいてＳＩＢのための同じＰＲＢを使用すると、干渉が引き起こされることがあり、そのような実施形態は、そのような干渉を避けることを目指すのに有用となり得る。
【００５１】
固定高減衰配置のユーザへのサポートを実施し、ＰＢＣＨのカバレッジ拡大を行う１つの方法は、ＰＢＣＨが、高いＰＢＣＨ反復の短い強烈バーストと、それに続く長い期間のレガシーＰＢＣＨ伝送とからなる２モードで伝送できるようにすることであることが提案されている。
【００５２】
そのような伝送の一例が図２に示されている。そのような伝送モードは、ＰＢＣＨ反復に必要とされるリソースを減少させることができ、ＭＩＢがＭＴＣ  ＵＥに関して何度も読まれる可能性がないことを考慮に入れている。ＳＩＢは同様に何度も読まれると予測されないので、同様の伝送領域をＳＩＢに関連して実装することができる。いくつかの実施形態では、Ｃｅｌｌ  ＩＤを含むＭＩＢが、ＳＩＢ伝送パターンを指示し、例えば、ＳＩＢの伝送の開始システム・フレーム番号（ＳＦＮ）はＣｅｌｌ  ＩＤに依存することができ、ＳＩＢの終了は、ＭＩＢ情報からの反復の量を実施することによって見いだすことができる。
【実施例１】
【００５３】
下記によるネットワークを考える。ＢをＰＲＢの数でのシステム帯域幅とする。
１）システム帯域幅＝５ＭＨｚすなわちＢ＝２５ＰＲＢ。
２）Ｃｅｌｌ  ＩＤ＝６０
３）１ビット反復指標：
ａ．反復指標０：ＰＤＳＣＨ上の１００ｘ反復
ｂ．反復指標１：ＰＤＳＣＨ上の２００ｘ反復
【００５４】
この実施態様では、リソース割当て指標は、２つのタイプのリソース割当てを与える１ビットである。ＮＰＲＢは、ＳＩＢを搬送するのに使用されるＰＲＢの数とし、リソース割当て指標には以下の意味があるとする。
１）リソース割当て指標０：ＰＲＢ間にＫ０ＰＲＢの最小の間隙を伴って拡散されるＮＰＲＢ＝２ＰＲＢ
２）リソース割当て指標１：ＰＲＢ間にＫ１ＰＲＢの最小の間隙を伴って拡散されるＮＰＲＢ＝４ＰＲＢ
値Ｋ０およびＫ１は、システムの帯域幅に依存し、仕様で事前定義することができる。この実施例では、Ｋ０＝１０ＰＲＢおよびＫ１＝５ＰＲＢである。
【００５５】
上述の情報は、ユーザがＭＩＢを首尾よく復号したときに得ることができる。
この実施例では、ＭＩＢブロードキャスト：
１）反復指標＝０
２）リソース割当て指標＝１
【００５６】
反復指標＝０では、ＰＤＳＣＨ上の反復の量は１００ｘである。この実施例では、各ＰＲＢが自己完結型（復号可能な）ＳＩＢを搬送することができ、そのため、サブフレームごとに、ＳＩＢは、ＮＰＲＢ＝４であるので４回反復されると仮定されている。そのため、ＳＩＢを搬送するためにＰＤＳＣＨで使用される反復の総量は、２５ｘである。
【００５７】
分散型ＥＰＤＣＣＨ候補を計算するときに使用されるものと同様の方法で（この実施例では、１つの候補のみが存在することを除いて）割当てを実施することができる。他の機能が実現可能であることが正しく理解されるであろう。ＵＥは、この場合には、ＳＩＢのＰＲＢの始まりを以下のように指示するオフセットＯＰＲＢを計算するように動作可能である。
ＯＰＲＢ＝Ｃｅｌｌ＿ＩＤｍｏｄＢ
【００５８】
この実施例では、オフセットＯＰＲＢ＝１０である。この実施例によるＳＩＢを含むＰＲＢ割当てが、図３に概略的に示されている。
【実施例２】
【００５９】
実施例１におけるようなパラメータが再使用される。図２に示したものと同様のＰＢＣＨ伝送が仮定されており、強烈周期は、ＣＰＢＣＨ＝６４無線フレームのサイクルを有し、ＰＢＣＨの強烈反復期間は、ＰＰＢＣＨ＝６無線フレームの間続く。反復期間ＰＰＢＣＨは、反復指標から得ることができ、反復指標は、強烈バースト期間の間ＰＢＣＨで使用される反復の量を指示する。ＨＳ−ＤＳＣＨ  ＤＲＸに対する同様の方法を使用して、以下の式の現在のＳＦＮが真である場合、強烈ＰＢＣＨ反復が生じる。
（ＳＦＮ−Ｃｅｌｌ＿ＩＤ）ｍｏｄＣＰＢＣＨ＜ＰＰＢＣＨ
【００６０】
対応するＳＩＢ（２５ｘ）反復が、ＰＢＣＨの強烈バースト期間の終了の後に開始することになる。ＵＥは、首尾よくＰＢＣＨを復号した後でのみＳＩＢを読むことになり、したがって、ＰＢＣＨの強烈バースト期間の後にＳＩＢが開始することが意味をなすことが仮定されている。以下の式の現在のＳＦＮが真である場合、ＳＩＢ伝送の開始が生じる。
（ＳＦＮ−Ｃｅｌｌ＿ＩＤ）ｍｏｄＣＰＢＣＨ＝ＰＰＢＣＨ
【００６１】
そのような実施形態に関連する結果として生じるＰＢＣＨおよびＳＩＢ伝送パターンが、図４に示される。
【００６２】
他のＳＩＢ伝送パターンを実施すること、例えば、ＰＢＣＨ強烈バースト期間の終了とＳＩＢ伝送の開始との間に間隙を有するパターンを実施することなどが当然可能である。
【００６３】
態様および実施形態は、カバレッジ拡大を必要とするＭＴＣ  ＵＥのためにＳＩＢを割り付ける方法を提供する。既存の解決策は、ユーザ機器の複雑さの増加またはＭＩＢにＳＩＢを含むことによるＰＢＣＨの頑健性の低下を必要とするブラインド復号を含む。
【００６４】
当業者は、様々な上述の方法のステップが、プログラムされたコンピュータによって実行され得ることを容易に認識するであろう。本明細書において、いくつかの実施形態は、さらに、機械またはコンピュータ可読であり、命令の機械実行可能またはコンピュータ実行可能プログラムを符号化するプログラム記憶デバイス、例えば、デジタル・データ記憶媒体を包含するように意図され、前記命令は、前記上述の方法のステップの一部またはすべてを実行する。プログラム記憶デバイスは、例えば、デジタル・メモリ、磁気ディスクおよび磁気テープなどの磁気記憶媒体、ハード・ドライブ、または光学的に可読なデジタル・データ記憶媒体とすることができる。実施形態は、さらに、上述の方法の前記ステップを実行するようにプログラムされたコンピュータを包含するように意図される。
【００６５】
「プロセッサ」または「論理部」としてラベル付けされた任意の機能ブロックを含む、図に示される様々な要素の機能は、専用ハードウェア、ならびに適切なソフトウェアに関連してソフトウェアを実行することができるハードウェアの使用を通して提供され得る。プロセッサによって提供されるときに、機能は、単一の専用プロセッサによって、単一の共用プロセッサによって、または一部を共用することができる複数の個別のプロセッサによって提供され得る。その上、「プロセッサ」または「コントローラ」または「論理部」という用語の明示的な使用は、ソフトウェアを実行することができるハードウェアを排他的に参照するように解釈されるべきでなく、限定はしないが、デジタル信号プロセッサ（ＤＳＰ）ハードウェア、ネットワーク・プロセッサ、特定用途向け集積回路（ＡＳＩＣ）、フィールド・プログラマブル・ゲート・アレイ（ＦＰＧＡ）、ソフトウェアを記憶するための読取り専用メモリ（ＲＯＭ）、ランダム・アクセス・メモリ（ＲＡＭ）、および不揮発性記憶装置を暗黙に含むことができる。従来および／またはカスタムの他のハードウェアも含まれ得る。同様に、図に示されるいかなるスイッチも概念的なものにすぎない。それらの機能は、プログラム論理の動作を通して、専用論理を通して、プログラム制御および専用論理の相互作用を通して、またはさらに手動で実行することができ、特定の技法が、文脈からより具体的に理解されるように、実装者によって選択可能である。
【００６６】
本明細書の任意のブロック図は本発明の原理を具現する例示的な回路の概念図を表していることを当業者は正しく理解されたい。同様に、任意のフローチャート、流れ図、状態遷移図、擬似コードなどは、コンピュータ可読媒体で実質的に表され、そこで、そのようなコンピュータまたはプロセッサが明確に示されているかどうかにかかわらず、コンピュータまたはプロセッサによって実行され得る様々なプロセスを表すことを正しく理解されるであろう。
【００６７】
説明および図面は、本発明の原理を示しているにすぎない。したがって、本明細書に明確に説明されていないかまたは示されていないが、本発明の原理を具現し、本発明の趣旨および範囲内に含まれる様々な構成を当業者は考案できることになることが正しく理解されるであろう。さらに、本明細書に列挙されたすべての例は、主として、本発明の原理と、発明者が当技術分野の推進に寄与している概念とを理解する際に、読者を支援する教育的な目的にすぎないことが明らかに意図されており、そのような具体的に列挙された例および条件に限定しないように解釈されるべきである。その上、本発明の原理、態様、および実施形態を列挙している本明細書のすべての記述、ならびにその特定の例は、その均等物を包含するように意図される。
【図１】
2016529820.tif 000003
【図２】
2016529820.tif 000004
【図３】
2016529820.tif 000005
【図４】
2016529820.tif 000006
【国際調査報告】
2016529820.tif 000007
2016529820.tif 000008
2016529820.tif 000009